(57)【特許請求の範囲】
【請求項１】
引戸の前面に取付けられる引戸用パッキンにおいて、可撓性を有する戸当たり部と、該戸当たり部の支持面に突設された、引戸の前面開口部に挿入される取付け部とからなり、前記取付け部が、上記開口部に挿入される比較的硬質の材料からなる、挿入部及び該挿入部の先端を分岐して断面錨状に屈曲させて挿入部との間に溝が形成されるようにした湾曲部からなる基部と、前記両方の湾曲部の外面に取付けられた軟質の材料からなる鋸歯状の係合部とからなることを特徴とする引戸用パッキン。
【発明の詳細な説明】
【０００１】
【発明の属する技術分野】
本発明は、出入口の引戸又は障子（以下これらを総称して単に引戸という）の開閉部の気密を保持するために取付けられるパッキンの改良に関する。
【０００２】
上記引戸用パッキンの使用例を図６以下に示す。図６は間仕切りパネルの一部断面を示すもので、該パネル５０は出入口の引戸５１ａ備えた出入口パネル５１と、ガラス障子５２ａを有する複数の窓枠パネル５２を備えている。５５は各パネル５１、５２を連結する方立、また５６は間仕切り用パネル５０の両側を形成する縦枠を示す。
【０００３】
また６０は引戸５１ａ及びガラス障子５２ａに取付けられるパッキンを示す。このパッキン６０は、出入り用引戸５１ａ、ガラス障子５２ａの形状により異なるもので、その一例を図７以下に示す。図７はスチール製の障子６１に取付けたパッキンを示すもので、該障子６１の縦枠６１ａは、前端を略々リップ溝型状に屈曲成形した例を示す。６１ｂはパッキン７０の挿入穴を示す。パッキン７０は戸当たり部７０ａと取付け部７０ｂとよりなり、取付け部７０ｂは、縦枠６１ａのパッキン挿入穴６１ｂより挿入可能に、逆止爪７０ｄを備えた可撓性の対をなす係止片７０ｃを備える。
【０００４】
このパッキン７０の取付けに際しては、該パッキンの係止片７０ｃを縦枠６１ａ前面より差し込むことにより取付けるようにしたものである。
【０００５】
また図８はスチール製の引き戸に取付けたパッキンの一例を示す。引き戸６２の縦枠６２ａは、コ字状とし、引き戸両面の化粧板６３の先端を折り曲げて前面を覆っている。この場合にはパッキン７１の取付け部７１ａは化粧板６３の先端折り曲げ部６３ａを挟むように折り曲げた対をなす支持部７１ｂを形成する。このパッキン７１の取付けに際しては、該引き戸６２の上方から折り曲げ部６３ａを支持部７１ｂにより挟むように差し込んで取付ける。
【０００６】
また、図９は木製の化粧板６５を取付けた引き戸６４のパッキンの一例を示す。この例の縦枠６４ａは、前記図７と同様に略々リップ溝状に形成し、パッキン７２の取付け部７２ａはＬ字状に屈曲形成した把持部７２ｂを形成する。このパッキン７２の取付けに際しては、該引き戸６４の上方から差し込んで取付けるようにしたものである。
【０００７】
また、図１０は木製の障子に取付けたパッキンの一例を示す。該障子６６の縦枠６６ａにはパッキン７３の取付け溝６６ｂを形成する。パッキン７３の取付け部７３ａは弾性を有する対をなすバネ板７３ｂを備え、該バネ板を溝６６ｂ内に差し込み、その弾力により保持せしめるようにしたものである。
【０００８】
【発明が解決しようとする課題】
上記各パッキンは、引戸又は障子の形状により取付け部の形状が異なる。従って引き戸又は障子の形状に応じてそれぞれを準備する必要がある。このため多数の在庫を必要とすると共に、組み立て現場において不足を生じた時、他の引戸用パッキンを転用することができない等の問題がある。
本発明は、かゝる点に鑑み、各形状の引戸に共通のパッキンを提供することを目的とする。
【０００９】
【課題を解決するための手段】
上記目的を達成するための本発明は、引戸の前面に取付けられる引戸用パッキンにおいて、可撓性を有する戸当たり部と、該戸当たり部の支持面に突設された、引戸の前面開口部に挿入される取付け部とからなり、前記取付け部が、上記開口部に挿入される比較的硬質の材料からなる、挿入部及び該挿入部の先端を分岐して断面錨状に屈曲させて挿入部との間に溝が形成されるようにした湾曲部からなる基部と、前記両方の湾曲部の外面に取付けられた軟質の材料からなる鋸歯状の係合部とからなることを特徴とする。
【００１０】
上記の構成からなる本発明は、パッキンの取付け部は引戸の開口部に挿入する比較的硬質の挿入部と、この挿入部の両面に取付けられる軟質の係合部とより構成したことにより、引戸の開口部への挿入は容易で、かつ軟質の係合部により係合を保持せしめる。
【００１１】
また、係合部は鋸歯状に形成したことにより、挿入は容易であるが、引き抜きを確実に阻止することができる。
【００１２】
また、挿入部の先端を左右に分岐して断面錨状に屈曲した湾曲部とし、該湾曲部外面に鋸歯状突起を形成したことにより、パッキンに引き抜き力が作用しても、湾曲部の弾力により引き抜きを防止することができる。
【００１３】
【発明の実施の形態】
以下、本発明の実施の形態を図１乃至図５に基づいて説明する。図１において引戸用パッキン１は、戸当たり部２と、引戸Ｄの前面開口部Ｄａに挿入される取付け部３とよりなる。取付け部３は基部４と係合部５とを備える。
【００１４】
戸当たり部２は、比較的軟質の合成樹脂（例えば、ポリ塩化ビニル又はポリプロピレン）により周知の形状に形成され，基端は基部４に取付けられる。
【００１５】
基部４は比較的硬質の合成樹脂（例えば、ポリ塩化ビニル又はポリプロピレン）で構成し、引戸Ｄの前面に沿う幅の支持面６と、開口部Ｄａに挿入する挿入部７、該挿入部７の先端を左右に分岐して錨状に屈曲した湾曲部８とよりなり、湾曲部８には軟質材の係合部５を取付ける。８ａは挿入部７と湾曲部８との間に形成される溝を示す。パッキン１の材質は、戸当たり部２、基部４ともに、硬度に変化をつけやすいポリ塩化ビニルを使用するのが好ましい。
【００１６】
この係合部５は複数の鋸歯状突起を形成し、この鋸歯状突起は挿入に際しては許容し、引き抜きに際しては引っ掛かり、これを阻止する方向に形成する。
【００１７】
図２以下は上記引戸用パッキン１の使用例を示す。図２はスチール製の引戸に本発明の引戸用パッキンを適用した例を示す。図の引戸１０は、縦枠等の縦補強材のない引戸で、外板１１、１１は屈曲して引戸前面を覆い、間隙１０ａを存して引戸内方に折り曲げている。１１ａは折り曲げ部を示す。パッキン１は上記間隙１０ａに挿入部７を差し込み、外板１１の折り曲げ部１１ａをパッキン１の溝８ａ内に差し込む。ただしその装着に際しては、パッキン１は引戸１０の上方から差し込むことにより、簡単に取付けることができる。
【００１８】
次に図３はスチール製の窓障子に本発明のパッキンを適用した例を示す。図の障子１５は縦枠１６を備え、この縦枠１６は前面に凹部１７を形成し、この凹部１７に前面からパッキン１の取付け部３の挿入部７を差し込み、掛合部５を凹部１７の側面１７ａに係合せしめることにより、抜け出すのを防止する。
【００１９】
次に図４は木製の化粧板２０ａを添着した引戸２０に本発明のパッキンを適用した例を示す。図において、縦枠２１は前面に切欠溝２１ａを形成し、パッキン１の挿入部７を挿入し、湾曲部８及び係合部５を縦枠２１の前板２１ｂの裏側に当てて抜け止めを計るようにしたものである。なお装着に際しては、パッキン１は引戸２０の上方から差し込むことにより、簡単に取付けることができる。
【００２０】
次に図５は木製の窓障子２５に本発明のパッキン１を適用した例を示す。木製の縦枠２６の前面には凹欠溝２７を形成し、この溝２７内に挿入部７を挿入し、係合部５を凹欠溝２７に圧接するようにしたものである。この際、湾曲部８は弾性を有し係合部５の圧着を確実にすることができる。
なお装着に際しては、パッキン１は凹欠溝２７の前面から差し込み係合部５を凹欠溝２７に食い込ませることにより、抜け出すことはない。
【００２１】
【発明の効果】
以上の如く本発明によるときは、パッキンは可撓性の戸当たり部と、引戸の前面に形成した開口部に挿入される比較的硬質の挿入部と、この挿入部に取付けられる比較的軟質の係合部とより構成し、挿入部を引戸の開口部に挿入することにより固着するようにしたから、各種形状の引戸、窓障子に対して共通に使用することができるので、製造コストを下げ、在庫管理も容易となる。
また、係合部は、軟質材の鋸歯状突起の係合部を備え、この鋸歯状突起は挿入に際しては許容し、引き抜きに際しては引っ掛かり、これを阻止する方向に形成することにより、使用中に抜け出すことはない。
また、挿入部は、その先端を左右に分岐して断面錨状に屈曲した湾曲部とし、該湾曲部外面に鋸歯状の係合部を取付けることにより、該湾曲部は弾力を有し、係合部の係合を確実とすることができる。
【図面の簡単な説明】
【図１】本発明の引戸用パッキンの横断面図である。
【図２】図２以下は本発明の引戸用パッキンの使用例を示すもので、図２はスチール製の引戸に本発明の引戸用パッキンを適用した例を示す横断面図である。
【図３】スチール製の窓障子に本発明の引戸用パッキンを適用した例を示す横断面図である。
【図４】木製の引戸に本発明の引戸用パッキンを適用した例を示す横断面図である。
【図５】木製の窓障子に本発明の引戸用パッキンを適用した例を示す横断面図である。
【図６】図６以下は引戸用パッキンの従来例を示すもので、図６は間仕切りパネルの一部断面を示す説明図である。
【図７】スチール製窓障子に従来例のパッキンを適用した横断面図である。
【図８】スチール製引戸に従来例のパッキンを適用した横断面図である。
【図９】木製引戸に従来例の引戸用パッキンを適用した横断面図である。
【図１０】木製窓障子に従来例のパッキンを適用した横断面図である。
【符号の説明】
１  引戸用パッキン
２  戸当たり部
３  取付け部
５  係合部
７  挿入部
８  湾曲部
【図１】
0003550357.tif 000002
【図２】
0003550357.tif 000003
【図３】
0003550357.tif 000004
【図４】
0003550357.tif 000005
【図５】
0003550357.tif 000006
【図６】
0003550357.tif 000007
【図７】
0003550357.tif 000008
【図８】
0003550357.tif 000009
【図９】
0003550357.tif 000010
【図１０】
0003550357.tif 000011